(57)【特許請求の範囲】
【請求項１】
おのおの料金体系が異なる複数の有料道路を車両が連続走行することができる有料道路ネットワーク内における出口料金所にて通過車両の通行料金額を算出する通行料金計算装置において、
前記出口料金所を通過する車両が通過し得る入口料金所のそれぞれに対応付けて、その入口料金所から前記出口料金所まで到達するために通行する有料道路のおのおのへの入路位置を示した第１テーブルと、
前記複数の有料道路のそれぞれに対して設けられ、その有料道路への入路位置に対応付けて、その有料道路に関しての前記出口料金所までの通行料金額を示した第２テーブルと、
前記出口料金所に到来した車両が通過した入口料金所を判定する入口判定手段と、
この入口判定手段により判定された入口料金所に対して前記第１テーブルにて対応付けられた各入路位置に基づいて各有料道路での個別通行料金額を前記第２テーブルから判定する個別通行料金額判定手段と、
この個別通行料金額判定手段により求められた各有料道路での個別通行料金額の合算値として通行料金額を算出する通行料金額算出手段と、
この通行料金額算出手段により算出された通行料金額を通行料金の収受員に対して報知する通行料金額報知手段とを具備したことを特徴とする通行料金計算装置。
【請求項２】
個別通行料金額判定手段により判定された各有料道路での個別通行料金額を、それぞれ通行料金の収受員に対して報知する個別通行料金額報知手段を備えたことを特徴とする請求項１に記載の通行料金計算装置。
【発明の詳細な説明】
【０００１】
【発明の属する技術分野】
本発明は、おのおの料金体系が異なる複数の有料道路を車両が連続走行することができる有料道路ネットワーク内における出口料金所にて通過車両の通行料金額を算出する通行料金計算装置に関する。
【０００２】
【従来の技術】
周知のように有料道路では、その入口料金所にて通行車両に対し、当該入口料金所を示す入口情報などを記録した通行券を与え、出口料金所にて通行券に記録された入口情報に基づいて通行料金の徴収を行う料金収受システムが用いられている。
【０００３】
そしてこのようなシステムにて用いられる通行券は、磁気ストライプが設けられた磁気カードとなっていて、入口情報などを磁気記録しておくことによって、機械による自動処理を行うことが可能となっている。
【０００４】
さて、通行料金は一般には通行距離に応じて決まるものであり、出口料金所では入口料金所に基づいて通行料金額が一義的に求められる。そこで従来は、各出口料金所毎に、各入口料金所に対応付けて通行料金額を示した通行料金テーブルを用意しておき、この通行料金テーブルを通行券から読み取った入口情報に基づいて検索することで通行料金額を求めるものとなっている。
【０００５】
【発明が解決しようとする課題】
ところで、事業者の違いなどにより互いに異なる料金体系である有料道路どうしが接続され、有料道路ネットワークを構成している場合がある。そして、通行料金を一括徴収するようにし、各有料道路間を連続的に走行することを可能とする場合がある。
【０００６】
この場合、前述のような通行料金テーブルを用いていると、一部の有料道路にのみ料金改定がなされた場合であっても、通行料金テーブルの全てのデータを更新しなければならず、その作業が非常に手間の掛かるものとなっていた。
【０００７】
また、料金体系における車種区分が各有料道路で異なる場合、通行料金テーブルは車種区分の数が多い有料道路に合わせて作成しなければならず、通行料金テーブルのデータ量が増大していた。
【０００８】
本発明はこのような事情を考慮してなされたものであり、その目的とするところは、通行料金テーブルのデータ量を低減することが可能で、かつその管理も容易とすることができる通行料金計算装置を提供することにある。
【０００９】
【課題を解決するための手段】
以上の目的を達成するために本発明は、おのおの料金体系が異なる複数の有料道路を車両が連続走行することができる有料道路ネットワーク内における出口料金所にて通過車両の通行料金額を算出する通行料金計算装置において、該当出口料金所を通過する車両が通過し得る入口料金所のそれぞれに対応付けて、その入口料金所から該当出口まで到達するために通行する有料道路のおのおのへの入路位置を示した例えば精算テーブルなどの第１テーブルと、前記複数の有料道路のそれぞれに対して設けられ、その有料道路への入路位置に対応付けて、その有料道路に関しての該当出口料金所までの通行料金額を示した、例えばＡ道路用通行料金テーブルおよびＢ道路用通行料金テーブルなどの第２テーブルと、該当出口料金所に到来した車両が通過した入口料金所を判定する入口判定手段と、この入口判定手段により判定された入口料金所に対して前記第１テーブルにて対応付けられた各入路位置に基づいて各有料道路での個別通行料金額を前記第２テーブルから判定する個別通行料金額判定手段と、この個別通行料金額判定手段により求められた各有料道路での通行料金額の合算値として通行料金額を算出する通行料金額算出手段と、この通行料金額算出手段により算出された通行料金額を通行料金の収受員に対して報知する通行料金額報知手段とを備えた。
【００１０】
このような手段を講じたことにより、入口判定手段により判定された入口料金所によって決まる通行区間が、第１テーブルに基づいて各有料道路部分に区別され、第２テーブルから各有料道路部分毎の個別通行料金額が判定される。そして、この各有料道路部分毎の個別通行料金額の合算値として、総通行料金額が求められる。このようにして、有料道路毎に個別に用意した第２テーブルに基づいて総通行料金が算出される。
【００１１】
また本発明はさらに、前記個別通行料金額判定手段により判定された各有料道路での個別通行料金額を、それぞれ通行料金の収受員に対して報知する個別通行料金額報知手段を備えた。
このような手段を講じたことにより、各有料道路部分毎の個別通行料金額が収受員に対してそれぞれ報知されるので、それらを個別に徴収する助けとなる。
【００１２】
【発明の実施の形態】
以下、図面を参照して本発明の一実施形態につき説明する。
図１は本実施形態に係る通行料金計算装置を用いて構成された出口料金所端末装置の要部構成を示す機能ブロック図である。
【００１３】
この出口料金所端末装置は、入口料金所にて通行車両に対し、当該入口料金所を示す入口情報などを含む所定の通行券情報を磁気記録した通行券を与え、出口料金所にて通行券に記録された通行券情報に基づいて通行料金の徴収を行う料金収受システムが用いられた有料道路の出口料金所にて使用されるものである。
【００１４】
図１に示すように出口料金所端末装置は、搬送部１、磁気カード読取部２、磁気カード書込部３、印字部４、表示部５、操作部６、メモリ部７および制御部８を有してなり、磁気カード読取部１、磁気カード書込部２、印字部３、表示部４、搬送部５、時計部６およびメモリ部７はそれぞれ制御部８に接続されている。
【００１５】
搬送部１は、例えば通行券を搬送する搬送ベルトやこの搬送ベルトを駆動するためのモータなどを有しており、処理するべく挿入された通行券を所定の搬送路に沿って搬送する。
【００１６】
磁気カード読取部２は、例えば前記通行券の搬送路に対向して配置された磁気読取ヘッドを有しており、通行券に磁気記録されている通行券情報を読取る。そして磁気カード読取部２は、読取った通行券情報を制御部８に与える。
【００１７】
磁気カード書込部３は、例えば前記通行券の搬送路に対向して配置された磁気記録ヘッドを有しており、例えば料金徴収に関する管理情報などの情報を制御部８の指示の下に通行券に対して磁気記録する。
【００１８】
印字部４は、例えば前記通行券の搬送路に対向して配置されたプリントヘッドを有しており、例えば料金徴収に関する管理情報などの情報を制御部８の指示の下に通行券に対して可視的に印字する。
【００１９】
表示部５は、例えば液晶表示器などを用いてなり、通行料金の収受員（出口料金所の係員）に対して、報知すべき各種の情報を制御部８の制御の下に可視表示する。
【００２０】
操作部６は、例えば表示部５の表示画面に重ねて配置されたタッチパネルやキースイッチなどを用いてなり、収受員による各種の指示操作を受け付ける。そして操作部６は、受け付けた指示操作の内容を制御部８に通知する。
【００２１】
メモリ部７は、例えばＲＡＭを用いてなり、制御部８が各種の処理を行う上で必要なデータや、各種の処理を行うことで生じたデータを記憶しておくためのものである。そしてこのメモリ部７には、それぞれ後述する積算テーブル７１、Ａ道路用通行料金テーブル７２およびＢ道路用通行料金テーブル７３が格納されている。
【００２２】
制御部８は、例えばマイクロプロセッサを主体として構成されており、この出口料金所端末装置の各部を総括制御することで出口料金所端末装置としての各種機能を実現するものである。そしてこの制御部８は、出口料金所端末装置における周知の一般的な制御手段に加えて、入口判定手段８１、個別通行料金額判定手段８２、総通行料金額算出手段８３、総通行料金額表示制御手段８４および個別通行料金額表示制御手段８５をソフトウエア処理によって実現するものとなっている。
【００２３】
ここで入口判定手段８１は、磁気カード読取部２から与えられる通行券情報に含まれる入口情報に基づいて、現在の処理対象車両が有料道路に入路した入口料金所を判定する処理を行うものである。個別通行料金額判定手段８２は、メモリ部８に格納された各テーブルを適宜参照して、現在の処理対象車両に関しての各有料道路毎（本実施形態ではＡ道路およびＢ道路）の通行料金額を個別通行料金額として判定する処理を行うものである。総通行料金額算出手段８３は、個別通行料金額判定手段８２により判定された各個別通行料金額に基づき、現在の処理対象車両に関して徴収すべき総通行料金額を算出する処理を行うものである。総通行料金額表示制御手段８４は、総通行料金額算出手段８３により算出された総通行料金額を収受員に対して報知すべく表示するための処理を行うものである。そして個別通行料金額表示制御手段８５は、個別通行料金額判定手段８２により判定された各個別通行料金額を収受員に対して報知すべく表示するための処理を必要に応じて行うものである。
【００２４】
次に以上のように構成された出口料金所端末装置の動作につき説明する。
まず、本出口料金所端末装置が適用されるのは、図２に模式的に示すように、Ａ道路およびＢ道路の２つの有料道路を接続してなり、これらの２つの有料道路間を単一の通行券で連続走行することを許容した有料道路ネットワークであることとし、かつ本出口料金所端末装置が設置される出口料金所が図２中の符号Ｏで示すものであると仮定する。従って本出口料金所端末装置が設置される出口料金所Ｏよりも車両進行方向上流側には、Ａ道路に属する複数の入口料金所ＩＡ（IA-1，IA-2…，IA-m）およびＢ道路に属する複数の入口料金所ＩＢ（IB-1，IB-2…，IB-n）が存在している。
【００２５】
そこで精算テーブル７１としては、上記の各入口料金所のそれぞれに付与された入口料金所番号（ここでは、入口料金所ＩＡには「００１」〜「４９９」が、また入口料金所ＩＢには「５０１」〜「５９９」が任意に付与されているものとする）に対応付けて、その入口料金所から出口料金所Ｏまで走行する車両がＡ道路およびＢ道路にそれぞれ入路する位置に相当する入口料金所の入口料金所番号（以下、Ａ道路検索料金所番号およびＢ道路検索料金所番号と称する）を対応付けた図３に示すようなテーブルを設定しておく。なおこの精算テーブル７１において、Ａ道路からＢ道路へと連続走行する場合のＢ道路への入路位置は、Ａ道路とＢ道路との接続点となるので、この接続点に仮想的に入口料金所ＩＣが存在するとし、この仮想入口料金所ＩＣの入口料金所番号を「５００」とし、これをＢ道路検索料金所番号として設定する。また、Ａ道路を走行し得ない場合には、Ａ道路検索料金所番号を「０００」としておく。
【００２６】
一方、Ａ道路用通行料金テーブル７２としては、Ａ道路における各入口料金所ＩＡのそれぞれの入口料金所番号、ならびに車種区分（ここでは９車種）に対応付けて、該当入口料金所から接続点までの該当車種の車両に関する通行料金を示した図３に示すようなテーブルを設定しておく。
【００２７】
また、Ｂ道路用通行料金テーブル７３としては、仮想入口料金所ＩＣおよびＢ道路における各入口料金所ＩＢのそれぞれの入口料金所番号、ならびに車種区分（ここでは５車種）に対応付けて、該当入口料金所から出口料金所Ｏまでの該当車種の車両に関する通行料金を示した図４に示すようなテーブルを設定しておく。
【００２８】
さて制御部８は、通行券が挿入されたことに応じて、その通行券が与えられていた車両に関する通行料金徴収の支援処理を図６に示すような手順で行う。
すなわち制御部８はまず、挿入された通行券の搬送を搬送部１に行わせるとともに、磁気カード読取部２に通行券情報の読取りを行わせて、磁気カード読取部２から通行券情報を受け取り（ステップＳＴ１）、この通行券情報に含まれている入口料金所番号を抽出する（ステップＳＴ２）。なおこのステップＳＴ１およびステップＳＴ２の処理は、入口判定手段８１によりなされる。
【００２９】
次に制御部８は、入口料金所番号に対応付けられているＡ道路検索料金所番号およびＢ道路検索料金所番号を精算テーブル７１を参照して判定する（ステップＳＴ３）。そしてここで判定したＡ道路検索料金所番号をＡ道路用通行料金テーブル７２から検索する（ステップＳＴ４）。続いて制御部８は、ステップＳＴ１で受け取った通行券情報に含まれる車種情報を抽出し（ステップＳＴ５）、この車種情報が示す車種をＡ道路用通行料金テーブル７２から検索する（ステップＳＴ６）。そして制御部８は、ステップＳＴ４およびステップＳＴ６での検索の結果から、Ａ道路用通行料金テーブル７２にて、ステップＳＴ３で判定したＡ道路検索料金所番号および通行券情報に含まれる車種情報が示す車種の両方に対応付けられた通行料金額を、Ａ道路に関する個別通行料金額として取出し（ステップＳＴ７）、これをメモリ部７に一旦格納する（ステップＳＴ８）。
【００３０】
こののち制御部８は、上記ステップＳＴ４乃至ステップＳＴ８の処理と同様な手順により、Ｂ道路に関する個別通行料金額を取出し、これをメモリ部７に一旦格納する（ステップＳＴ９乃至ステップＳＴ１３）。なお、以上のステップＳＴ４乃至ステップＳＴ１３の処理は、個別通行料金額判定手段８２によってなされる。
【００３１】
そして制御部８は、メモリ部７に格納したＡ道路およびＢ道路の両個別通行料金額を合算し（ステップＳＴ１４）、その合算結果を総通行料金額として表示部５に表示させる（ステップＳＴ１５）。なお、ステップＳＴ１４の処理は総通行料金額算出手段８３によって、またステップＳＴ１５の処理は総通行料金額表示制御手段８４によってそれぞれ行われる。
【００３２】
このように総通行料金額を表示した状態で制御部８は、収受員によって料金徴収操作がなされるか、あるいは分割徴収の実施指示がなされるのを待ち受ける  （ステップＳＴ１６およびステップＳＴ１７）。
【００３３】
ここで、例えば現金徴収を行った旨の指定や、プリペイドカードのカード処理機（図示せず）への挿入などの料金徴収操作がなされた場合には、その料金徴収操作の内容に応じた料金徴収動作を周知の手順で行う（ステップＳＴ１８）。なおこの時に徴収すべき金額は、総通行料金額である。
【００３４】
これに対して、制御部８がステップＳＴ１６およびステップＳＴ１７の待ち受け状態にある時に、例えば操作部６に設定された分割ボタンの押下などの指示操作によって分割徴収の実施指示がなされると、制御部８は個別通行料金額表示制御手段８５によって、Ａ道路に関する個別通行料金額を表示部５に表示させた上で（ステップＳＴ１９）、その状態で収受員によりなされる料金徴収操作の内容に応じた料金徴収動作を周知の手順で行う（ステップＳＴ２０）。なおこの時に徴収すべき金額は、Ａ道路に関する個別通行料金額である。
【００３５】
つづいて制御部８は個別通行料金額表示制御手段８５によって、Ｂ道路に関する個別通行料金額を表示部５に表示させた上で（ステップＳＴ２１）、その状態で収受員によりなされる料金徴収操作の内容に応じた料金徴収動作を周知の手順で行う（ステップＳＴ１８）。なおこの時に徴収すべき金額は、Ｂ道路に関する個別通行料金額である。
【００３６】
以上のように本実施形態によれば、入口料金所から決まる通行区間を、Ａ道路部分とＢ道路部分とで分離可能な精算テーブル７１を用意しておくとともに、Ａ道路に関する通行料金のみを示したＡ道路用通行料金テーブル７２と、Ｂ道路に関する通行料金のみを示したＢ道路用通行料金テーブル７３とをそれぞれ用意しておく。そして、出口料金所に到来した車両に与えられていた通行券に記録された通行券情報から入口料金所を判定し、その入口料金所からの通行区間を精算テーブル７１に基づいてＡ道路部分とＢ道路部分とに分離した上で、通行区間のうちのＡ道路部分に関する個別通行料金額をＡ道路用通行料金テーブル７２から、またＢ道路部分に関する個別通行料金額をＢ道路用通行料金テーブル７３からそれぞれ判定し、それらの合算値として総通行料金額を算出する。
【００３７】
このように、通行料金テーブルはＡ道路用とＢ道路用とで別々としているので、いずれか一方の有料道路にて通行料金の改定が行われたとしても、その通行料金の改定が行われた有料道路に対応する通行料金テーブルのみを更新すれば良いので、更新しなければならない情報量が少なくて済み、そのための作業が簡易となる。
【００３８】
また、通行料金テーブルはＡ道路用とＢ道路用とで別々としているので、Ａ道路とＢ道路とで車種の区分方法が違っているが、それぞれの車種区分に応じた通行料金テーブルを用意しておくことができるので、通行料金テーブルの情報量が必要以上に大きくなってしまうことがない。これにより、メモリ部７の有効利用を計ることが可能になるとともに、また通行料金改定の際に更新しなければならない情報量が減少する。
【００３９】
また本実施形態によれば、必要に応じてＡ道路部分に関する個別通行料金額とＢ道路部分に関する個別通行料金額とをそれぞれ表示するようにし、別々に徴収することを可能としているので、例えばＡ道路部分の通行料金についてはＡ道路専用のプリペイドカードによって支払い、Ａ道路部分の通行料金については現金で支払うといったような支払い形態に容易に対応することが可能となる。
【００４０】
さらにＡ道路部分に関する個別通行料金額とＢ道路部分に関する個別通行料金額とが明確となることから、両有料道路の収入を個別に管理する必要がある場合に、そのための情報処理を容易に行うことが可能となる。
【００４１】
なお本発明は上記実施形態に限定されるものではない。例えば上記実施形態では、通行券を用いる料金収受システムを用いた有料道路ネットワークに適用することを前提とし、通行券に記録された入口料金所番号から入口料金所を判定するものとしているが、車載の端末に対して無線通信によって入口情報を書込み、また無線通信によって入口情報を読取るようにしたノンストップ料金収受システムを用いた有料道路ネットワークに適用する場合には、上記のように無線通信で読取った入口情報から入口料金所を判定するものとすれば良い。
【００４２】
また上記実施形態では、Ａ道路およびＢ道路の２つの有料道路からなる有料道路ネットワークにて用いられるものを例示しているが、３つ以上の有料道路からなる有料道路ネットワークにも対応可能である。
このほか、本発明の要旨を逸脱しない範囲で種々の変形実施が可能である。
【００４３】
【発明の効果】
本発明によれば、おのおの料金体系が異なる複数の有料道路を車両が連続走行することができる有料道路ネットワーク内における出口料金所にて通過車両の通行料金額を算出する通行料金計算装置において、該当出口料金所を通過する車両が通過し得る入口料金所のそれぞれに対応付けて、その入口料金所から該当出口まで到達するために通行する有料道路のおのおのへの入路位置を示した第１テーブルと、前記複数の有料道路のそれぞれに対して設けられ、その有料道路への入路位置に対応付けて、その有料道路に関しての該当出口料金所までの通行料金額を示した第２テーブルと、該当出口料金所に到来した車両が通過した入口料金所を判定する入口判定手段と、この入口判定手段により判定された入口料金所に対して前記第１テーブルにて対応付けられた各入路位置に基づいて各有料道路での個別通行料金額を前記第２テーブルから判定する個別通行料金額判定手段と、この個別通行料金額判定手段により求められた各有料道路での通行料金額の合算値として通行料金額を算出する通行料金額算出手段と、この通行料金額算出手段により算出された通行料金額を通行料金の収受員に対して報知する通行料金額報知手段とを備えたので、通行料金テーブルのデータ量を低減することが可能で、かつその管理も容易とすることができる通行料金計算装置となる。
【図面の簡単な説明】
【図１】本発明の一実施形態にに係る通行料金計算装置を用いて構成された出口料金所端末装置の要部構成を示す機能ブロック図。
【図２】図１に示す出口料金所端末装置が適用される有料道路ネットワークの構成例を模式的に示す図。
【図３】図１中の精算テーブル７１の内容の一例を模式的に示す図。
【図４】図１中のＡ道路用通行料金テーブル７２の内容の一例を模式的に示す図。
【図５】図１中のＢ道路用通行料金テーブル７３の内容の一例を模式的に示す図。
【図６】通行料金徴収の支援処理にかかる制御部８の処理手順を示すフローチャート。
【符号の説明】
１…搬送部
２…磁気カード読取部
３…磁気カード書込部
４…印字部
５…表示部
６…操作部
７…メモリ部
７１…積算テーブル
７２…Ａ道路用通行料金テーブル
７３…Ｂ道路用通行料金テーブル
８…制御部
８１…入口判定手段
８２…個別通行料金額判定手段
８３…総通行料金額算出手段
８４…総通行料金額表示制御手段
８５…個別通行料金額表示制御手段
【図１】
0003664848.tif 000002
【図２】
0003664848.tif 000003
【図３】
0003664848.tif 000004
【図４】
0003664848.tif 000005
【図５】
0003664848.tif 000006
【図６】
0003664848.tif 000007